(57)【要約】  画像生成送信装置（１０）は、複数のモニタ装置（１２）で形成された表示画面に表示される画像を複数の分割画像に分割し、各分割画像の表示画面での表示領域を、表示画面に設定されている画面座標を用いて定義する分割画像定義情報を生成し、分割画像定義情報を画像受信再生装置（１１）に送信する。画像受信再生装置（１１）は、接続されているモニタ装置（１２）である接続モニタ装置が表示画面上で占める接続モニタ領域を、画面座標を用いて特定し、分割画像定義情報を受信し、分割画像定義情報で定義されている表示領域が接続モニタ領域と少なくとも一部において重複している受信対象分割画像を抽出し、受信対象分割画像のうち接続モニタ領域と重複している再生対象範囲を抽出し、受信対象分割画像を受信し、受信対象分割画像のうち再生対象範囲を再生し、再生対象範囲の再生結果を接続モニタ装置に出力する。
2017168582.tif 000002
【特許請求の範囲】
【請求項１】
複数のモニタ装置が並べられて形成された表示画面に画像を表示させる表示システムに含まれ、前記複数のモニタ装置のうちのいずれかのモニタ装置に接続されている画像受信再生装置であって、
接続されているモニタ装置である接続モニタ装置が前記表示画面上で占める領域である接続モニタ領域を、前記表示画面に設定されている座標である画面座標を用いて特定する接続モニタ領域特定部と、
前記表示画面に表示させる前記画像から分割された複数の分割画像の各々の前記表示画面での表示領域を前記画面座標を用いて定義する分割画像定義情報を受信する受信部と、
前記分割画像定義情報で定義されている表示領域が前記接続モニタ領域と少なくとも一部において重複している分割画像である受信対象分割画像を前記複数の分割画像から抽出し、前記受信対象分割画像のうち前記接続モニタ領域と重複している範囲である再生対象範囲を抽出する抽出部と、
前記受信対象分割画像を受信し、前記受信対象分割画像のうち前記再生対象範囲を再生し、前記再生対象範囲の再生結果を前記接続モニタ装置に出力する再生部とを有する画像受信再生装置。
【請求項２】
前記受信部は、
分割画像ごとに、分割画像の取得に用いられる通信アドレスを定義する前記分割画像定義情報を受信し、
前記再生部は、
前記分割画像定義情報で定義されている前記受信対象分割画像の通信アドレスを用いて分割画像の送信元に前記受信対象分割画像の送信を要求して、前記送信元から前記受信対象分割画像を受信する請求項１に記載の画像受信再生装置。
【請求項３】
前記再生部は、
前記抽出部により複数の受信対象分割画像が抽出され、前記複数の受信対象分割画像から抽出された複数の再生対象範囲のうちのいずれかの再生対象範囲が他の再生対象範囲の背後になり前記接続モニタ装置において表示されない場合に、前記接続モニタ装置において表示されない再生対象範囲を再生しない請求項１に記載の画像受信再生装置。
【請求項４】
前記再生部は、
前記抽出部により複数の受信対象分割画像が抽出され、抽出された前記複数の受信対象分割画像から抽出された複数の再生対象範囲のうちのいずれかの再生対象範囲が他の再生対象範囲の背後になり前記接続モニタ装置において表示されない場合に、前記接続モニタ装置において表示されない再生対象範囲が含まれる受信対象分割画像を受信しない請求項１に記載の画像受信再生装置。
【請求項５】
複数のモニタ装置が並べられて形成された表示画面に画像を表示させる表示システムに含まれ、前記複数のモニタ装置のうちのいずれかのモニタ装置に接続される画像受信再生装置と通信を行う画像生成送信装置であって、
前記表示画面に表示される前記画像を複数の分割画像に分割する画像分割部と、
各分割画像の前記表示画面での表示領域を、前記表示画面に設定されている座標である画面座標を用いて定義する分割画像定義情報を生成する定義情報生成部と、
前記分割画像定義情報を前記画像受信再生装置に送信する送信部とを有する画像生成送信装置。
【請求項６】
前記画像受信再生装置は、接続されているモニタ装置である接続モニタ装置が前記表示画面上で占める領域である接続モニタ領域を、前記画面座標を用いて特定しており、
前記画像生成送信装置は、
前記分割画像定義情報を前記画像受信再生装置に送信することにより、
前記画像受信再生装置に、前記分割画像定義情報で定義されている表示領域が前記接続モニタ領域と少なくとも一部において重複している分割画像である受信対象分割画像を前記複数の分割画像から抽出させ、前記受信対象分割画像のうち前記接続モニタ領域と重複している範囲である再生対象範囲を抽出させ、前記受信対象分割画像を受信させ、前記受信対象分割画像のうち前記再生対象範囲を再生させ、前記再生対象範囲の再生結果を前記接続モニタ装置に出力させる請求項５に記載の画像生成送信装置。
【請求項７】
前記画像生成送信装置は、
前記画像受信再生装置と接続されている中継装置に接続されており、
前記定義情報生成部は、
分割画像ごとに、前記画像受信再生装置が前記中継装置から分割画像を取得する際に用いる通信アドレスを定義する前記分割画像定義情報を生成し、
前記送信部は、
前記分割画像定義情報を前記画像受信再生装置に送信した後に、各分割画像を対応する通信アドレスと関連付けて前記中継装置に送信する請求項５に記載の画像生成送信装置。
【請求項８】
複数のモニタ装置が並べられて形成された表示画面に画像を表示させる表示システムであって、
前記複数のモニタ装置のうちのいずれかのモニタ装置に接続されている画像受信再生装置と、
前記画像受信再生装置と通信を行う画像生成送信装置とを有し、
前記画像生成送信装置は、
前記表示画面に表示される前記画像を複数の分割画像に分割し、
各分割画像の前記表示画面での表示領域を、前記表示画面に設定されている座標である画面座標を用いて定義する分割画像定義情報を生成し、
前記分割画像定義情報を前記画像受信再生装置に送信し、
前記画像受信再生装置は、
接続されているモニタ装置である接続モニタ装置が前記表示画面上で占める領域である接続モニタ領域を、前記画面座標を用いて特定し、
前記分割画像定義情報を受信し、
前記分割画像定義情報で定義されている表示領域が前記接続モニタ領域と少なくとも一部において重複している分割画像である受信対象分割画像を前記複数の分割画像から抽出し、前記受信対象分割画像のうち前記接続モニタ領域と重複している範囲である再生対象範囲を抽出し、
前記受信対象分割画像を受信し、前記受信対象分割画像のうち前記再生対象範囲を再生し、前記再生対象範囲の再生結果を前記接続モニタ装置に出力する表示システム。
【請求項９】
前記画像生成送信装置は、
前記画像受信再生装置と接続されている中継装置に接続されており、
分割画像ごとに、前記画像受信再生装置が前記中継装置から分割画像を取得する際に用いる通信アドレスを定義する前記分割画像定義情報を生成し、
前記分割画像定義情報を前記画像受信再生装置に送信した後に、各分割画像を対応する通信アドレスと関連付けて前記中継装置に送信し、
画像受信再生装置は、
前記分割画像定義情報で定義されている前記受信対象分割画像の通信アドレスを用いて前記中継装置に前記受信対象分割画像の送信を要求して、前記中継装置から前記受信対象分割画像を受信する請求項８に記載の表示システム。
【請求項１０】
複数のモニタ装置が並べられて形成された表示画面に画像を表示させる表示システムに含まれ、前記複数のモニタ装置のうちのいずれかのモニタ装置に接続されている、コンピュータが、
接続されているモニタ装置である接続モニタ装置が前記表示画面上で占める領域である接続モニタ領域を、前記表示画面に設定されている座標である画面座標を用いて特定し、
前記表示画面に表示させる前記画像から分割された複数の分割画像の各々の前記表示画面での表示領域を前記画面座標を用いて定義する分割画像定義情報を受信し、
前記分割画像定義情報で定義されている表示領域が前記接続モニタ領域と少なくとも一部において重複している分割画像である受信対象分割画像を前記複数の分割画像から抽出し、前記受信対象分割画像のうち前記接続モニタ領域と重複している範囲である再生対象範囲を抽出し、
前記受信対象分割画像を受信し、前記受信対象分割画像のうち前記再生対象範囲を再生し、前記再生対象範囲の再生結果を前記接続モニタ装置に出力する画像受信再生方法。
【請求項１１】
複数のモニタ装置が並べられて形成された表示画面に画像を表示させる表示システムに含まれ、前記複数のモニタ装置のうちのいずれかのモニタ装置に接続される画像受信再生装置と通信を行うコンピュータが、
前記表示画面に表示される前記画像を複数の分割画像に分割し、
各分割画像の前記表示画面での表示領域を、前記表示画面に設定されている座標である画面座標を用いて定義する分割画像定義情報を生成し、
前記分割画像定義情報を前記画像受信再生装置に送信する画像生成送信方法。
【請求項１２】
複数のモニタ装置が並べられて形成された表示画面に画像を表示させる表示システムに含まれ、前記複数のモニタ装置のうちのいずれかのモニタ装置に接続されているコンピュータに、
接続されているモニタ装置である接続モニタ装置が前記表示画面上で占める領域である接続モニタ領域を、前記表示画面に設定されている座標である画面座標を用いて特定する領域特定処理と、
前記表示画面に表示させる前記画像から分割された複数の分割画像の各々の前記表示画面での表示領域を前記画面座標を用いて定義する分割画像定義情報を受信する受信処理と、
前記分割画像定義情報で定義されている表示領域が前記接続モニタ領域と少なくとも一部において重複している分割画像である受信対象分割画像を前記複数の分割画像から抽出し、前記受信対象分割画像のうち前記接続モニタ領域と重複している範囲である再生対象範囲を抽出する抽出処理と、
前記受信対象分割画像を受信し、前記受信対象分割画像のうち前記再生対象範囲を再生し、前記再生対象範囲の再生結果を前記接続モニタ装置に出力する再生処理とを実行させる画像受信再生プログラム。
【請求項１３】
複数のモニタ装置が並べられて形成された表示画面に画像を表示させる表示システムに含まれ、前記複数のモニタ装置のうちのいずれかのモニタ装置に接続される画像受信再生装置と通信を行うコンピュータに、
前記表示画面に表示される前記画像を複数の分割画像に分割する画像分割処理と、
各分割画像の前記表示画面での表示領域を、前記表示画面に設定されている座標である画面座標を用いて定義する分割画像定義情報を生成する定義情報生成処理と、
前記分割画像定義情報を前記画像受信再生装置に送信する送信処理とを実行させる画像生成送信プログラム。
【発明の詳細な説明】
【技術分野】
【０００１】
本発明は、複数のモニタ装置が並べられて形成された表示画面（以下、マルチ大画面ともいう）に画像を表示させる表示システムに関する。
【背景技術】
【０００２】
特許文献１では、配信装置が、解像度が受信装置より高い映像を複数ブロックに分割する。また、配信装置が、映像の解像度、ブロックの位置情報、ブロックに割り当てられたマルチキャストアドレス及びポート等からなる映像分割情報を受信装置に送信する。また、配信装置が、予め想定される拡大表示、縮小表示あるいは等倍表示に対応させて、ブロック単位で解像度を指定して映像を符号化し、符号化後の映像をストリームとして受信装置に送信する。受信装置は、指示された解像度のストリームを受信して表示すると、映像の拡大表示、縮小表示あるいは等倍表示ができる。このように、特許文献１によれば、受信装置では、受信するストリーム（マルチキャストとポートの組み）を変更するだけで映像の拡大表示、縮小表示あるいは等倍表示が可能である。【０００３】
また、特許文献２では、サーバ装置が、マルチ大画面を構成する複数のモニタ装置のモニタ情報を管理する。そして、サーバ装置は、マルチ大画面上の表示態様に従い、モニタ装置に接続する表示装置ごとに、各表示装置がモニタ装置に出力すべき画像を生成する。そして、サーバ装置は、各表示装置に、対応する画像を送信する。
【先行技術文献】
【特許文献】
【０００４】
【特許文献１】特開２００９−２１２８２１号公報
【特許文献２】特開２００５−３０１１３１号公報
【発明の概要】
【発明が解決しようとする課題】
【０００５】
特許文献１に記載の技術では、指定されたストリームを単一の受信装置が受信し、映像を表示するのみである。マルチ大画面システムでは、マルチ大画面を構成する複数のモニタ装置に接続された複数の受信装置が、マルチ大画面に表示される巨大な画像を構成する複数の画像を受信し、複数のモニタ装置が複数の画像を分担して表示する。このようなマルチ大画面システムでは、マルチ大画面におけるモニタ装置の配置情報、モニタ装置間の相対位置、各画像のマルチ大画面内での表示領域等を特定する必要がある。特許文献１では、これらの情報は管理されていないため、特許文献１に記載の技術をマルチ大画面システムに適用することはできない。【０００６】
特許文献２に記載の技術では、各受信装置は、巨大な画像を構成する全ての画像を受信し、全ての画像を再生して、接続されているモニタ装置に一部の画像を表示させる。例えば、マルチ大画面に表示する巨大な画像が１０個の分割画像に分割されている場合を想定する。特許文献２の技術によれば、各受信装置は、１個の分割画像をモニタ装置に表示させるために、１０個の分割画像の全てを受信し、１０個の分割画像の全てを再生しなければならない。このように、特許文献２の技術では、受信負荷及び再生負荷が高いという課題がある。【０００７】
本発明は、このような課題を解決することを主な目的としており、複数のモニタ装置が並べられて形成された表示画面に画像を表示させるシステムにおいて、受信負荷及び再生負荷を軽減することを主な目的とする。
【課題を解決するための手段】
【０００８】
本発明に係る画像受信再生装置は、
複数のモニタ装置が並べられて形成された表示画面に画像を表示させる表示システムに含まれ、前記複数のモニタ装置のうちのいずれかのモニタ装置に接続されている画像受信再生装置であって、
接続されているモニタ装置である接続モニタ装置が前記表示画面上で占める領域である接続モニタ領域を、前記表示画面に設定されている座標である画面座標を用いて特定する接続モニタ領域特定部と、
前記表示画面に表示させる前記画像から分割された複数の分割画像の各々の前記表示画面での表示領域を前記画面座標を用いて定義する分割画像定義情報を受信する受信部と、
前記分割画像定義情報で定義されている表示領域が前記接続モニタ領域と少なくとも一部において重複している分割画像である受信対象分割画像を前記複数の分割画像から抽出し、前記受信対象分割画像のうち前記接続モニタ領域と重複している範囲である再生対象範囲を抽出する抽出部と、
前記受信対象分割画像を受信し、前記受信対象分割画像のうち前記再生対象範囲を再生し、前記再生対象範囲の再生結果を前記接続モニタ装置に出力する再生部とを有する。
【発明の効果】
【０００９】
本発明では、画像受信再生装置は、複数の分割画像のうち受信対象分割画像のみを受信し、受信対象分割画像のうち再生対象範囲のみを再生するため、受信負荷及び再生負荷を軽減することができる。
【図面の簡単な説明】
【００１０】
【図１】実施の形態１に係るマルチ大画面システムの構成例を示す図。
【図２】実施の形態１に係る画像生成送信装置の機能構成例を示す図。
【図３】実施の形態１に係る画像受信再生装置の機能構成例を示す図。
【図４】実施の形態２に係るマルチ大画面システムの構成例を示す図。
【図５】実施の形態１に係る画像生成送信装置の動作例を示すフローチャート図。
【図６】実施の形態１に係る画像生成送信装置の動作例を示すフローチャート図。
【図７】実施の形態１に係る画像受信再生装置の接続モニタ領域特定部の動作例を示すフローチャート図。
【図８】実施の形態１に係る画像受信再生装置の表示画像管理部の動作例を示すフローチャート図。
【図９】実施の形態１に係る画像受信再生装置の受信ストリーム認識部の動作例を示すフローチャート図。
【図１０】実施の形態１に係る接続情報の例を示す図。
【図１１】実施の形態１に係る画像の表示例を示す図。
【図１２】実施の形態１に係る表示イメージレイアウト情報の例を示す図。
【図１３】実施の形態１に係る画像分割配信テーブルの例を示す図。
【図１４】実施の形態１に係る表示リストの例を示す図。
【図１５】実施の形態３に係るマルチ大画面システムの構成例を示す図。
【図１６】実施の形態３に係る接続情報の例を示す図。
【図１７】実施の形態１に係る画像生成送信装置のハードウェア構成例を示す図。
【図１８】実施の形態１に係る画像受信再生装置のハードウェア構成例を示す図。
【発明を実施するための形態】
【００１１】
実施の形態１．
本実施の形態では、複数のモニタ装置が並べられて形成された表示画面に、解像度が１６Ｋドット、３２Ｋドットあるいはそれを超えるような画像を表示するマルチ大画面システムを説明する。
【００１２】
＊＊＊構成の説明＊＊＊
図１は、本実施の形態に係るマルチ大画面システムの構成例を示す。
本実施の形態に係るマルチ大画面システムは、画像生成送信装置１０と、画像受信再生装置１１ａ〜１１ｈと、複数のモニタ装置１２と、スイッチングハブ１４で構成される。
なお、画像受信再生装置１１ａ〜１１ｈを区別する必要がない場合は、画像受信再生装置１１ａ〜１１ｈを総称して、画像受信再生装置１１という。画像受信再生装置１１は、可搬型のノートＰＣ（Ｐｅｒｓｏｎａｌ  Ｃｏｍｐｕｔｅｒ）や、タブレット端末であってもよい。
また、一点鎖線で囲んでいる範囲、すなわち、画像生成送信装置１０と画像受信再生装置１１との組合せが表示システムに相当する。
また、画像生成送信装置１０で行われる動作は、画像生成送信方法及び画像生成送信プログラムに相当する。また、画像受信再生装置１１で行われる動作は、画像受信再生方法及び画像受信再生プログラムに相当する。
【００１３】
本実施の形態では、複数のモニタ装置１２が並べられて１つの表示画面（マルチ大画面）が形成されている。図１では、８台のモニタ装置１２が格子状に配置されてマルチ大画面が形成されている。各モニタ装置１２には画面ＩＤ（Ｉｄｅｎｔｉｆｉｅｒ）が設定されている。
【００１４】
画像生成送信装置１０は、マルチ大画面に表示する画像を生成する。画像生成送信装置１０は、例えば、アプリケーションプログラムで生成された画像、デスクトップ画像、入力画像などを一定間隔でキャプチャして、マルチ大画面に表示する画像を生成する。また、画像生成送信装置１０は、マルチ大画面に表示する画像を複数のマルチキャストストリームに分割してスイッチングハブ１４に送信する。
画像生成送信装置１０とスイッチングハブ１４は、ネットワーク用ケーブル１５で接続されている。
【００１５】
各画像受信再生装置１１は、映像ケーブル１３でモニタ装置１２に接続されている。なお、各画像受信再生装置１１に接続されているモニタ装置１２を接続モニタ装置という。画像受信再生装置１１ａの接続モニタ装置は、画面ＩＤ：００１のモニタ装置１２である。また、画像受信再生装置１１ｈの接続モニタ装置は、画面ＩＤ：００８のモニタ装置１２である。
画像受信再生装置１１は、ネットワーク用ケーブル１５を介してスイッチングハブ１４と接続されている。
画像受信再生装置１１は、スイッチングハブ１４から接続モニタ装置に表示させる分割画像を受信する。本実施の形態では、画像受信再生装置１１は、接続モニタ装置がマルチ大画面上で占める領域である接続モニタ領域に基づいて、複数の分割画像から受信対象の分割画像（以下、受信対象分割画像という）を抽出し、更に、受信対象分割画像から再生対象の範囲（以下、再生対象範囲という）を抽出する。そして、画像受信再生装置１１は、複数の分割画像のうち受信対象分割画像のみを受信し、また、受信対象分割画像のうちの再生対象範囲のみを再生する。そして、画像受信再生装置１１は、再生対象範囲の再生結果を接続モニタ装置に出力する。
なお、図１では、画像受信再生装置１１とモニタ装置１２は、それぞれ異なるハードウェアとしているが、画像受信再生装置１１がモニタ装置１２を内蔵していてもよい。画像受信再生装置１１がモニタ装置１２を内蔵している場合は、映像ケーブル１３を省略することができる。
【００１６】
スイッチングハブ１４は、画像生成送信装置１０とデータ通信を行い、また、複数の画像受信再生装置１１とデータ通信を行う。本実施の形態では、スイッチングハブ１４は、マルチキャスト制御と呼ばれる機能を実装している。マルチキャスト制御により、画像受信再生装置１１は、受信対象分割画像のみを選択して受信することができる。
なお、スイッチングハブ１４は、中継装置に相当する。
【００１７】
次に、画像生成送信装置１０のハードウェア構成例を図１７に示す。
【００１８】
画像生成送信装置１０は、プロセッサ１７０１、メモリ１７０２、記憶装置１７０３、ネットワークボード１７０４というハードウェアを有するコンピュータである。
プロセッサ１７０１は、例えば、ＣＰＵ（Ｃｅｎｔｒａｌ  Ｐｒｏｃｅｓｓｉｎｇ  Ｕｎｉｔ）である。プロセッサ１７０１は、プログラムを実行する。より具体的には、プロセッサ１７０１は、図２に示す機能構成要素を実現するプログラムを実行する。図２に示す機能構成要素の詳細は後述する。
メモリ１７０２は、揮発性の記憶装置であり、具体的には、ＲＡＭ（Ｒａｎｄｏｍ  Ａｃｃｅｓｓ  Ｍｅｍｏｒｙ）である。
記憶装置１７０３は、不揮発性の記憶装置であり、具体的には、ＨＤＤ（Ｈａｒｄ  Ｄｉｓｋ  Ｄｒｉｖｅ）、フラッシュメモリである。
プロセッサ１７０１が実行するプログラムは記憶装置１７０３に記憶されており、メモリ１７０２にロードされ、プロセッサ１７０１により実行される。
ネットワークボード１７０４は、スイッチングハブ１４とデータを送受信するための回路である。
【００１９】
次に、画像受信再生装置１１のハードウェア構成例を図１８に示す。
【００２０】
画像受信再生装置１１は、プロセッサ１８０１、メモリ１８０２、記憶装置１８０３、ネットワークボード１８０４、グラフィックボード１８０５というハードウェアを有するコンピュータである。
プロセッサ１８０１は、例えば、ＣＰＵである。プロセッサ１８０１は、プログラムを実行する。より具体的には、プロセッサ１８０１は、図３に示す機能構成要素を実現するプログラムを実行する。図３に示す機能構成要素の詳細は後述する。
メモリ１８０２は、揮発性の記憶装置であり、具体的には、ＲＡＭである。
記憶装置１８０３は、不揮発性の記憶装置であり、具体的には、ＨＤＤ、フラッシュメモリである。
プロセッサ１８０１が実行するプログラムは記憶装置１８０３に記憶されており、メモリ１８０２にロードされ、プロセッサ１８０１により実行される。
ネットワークボード１８０４は、スイッチングハブ１４とデータを送受信するための回路である。
グラフィックボード１８０５は、モニタ装置１２に分割画像の再生結果を出力するための回路である。
【００２１】
＊＊＊動作の説明＊＊＊
次に、図２に示す機能構成例を用いて、本実施の形態に係る画像生成送信装置１０の動作を説明する。
【００２２】
接続情報管理部２１は、接続情報を管理する。より具体的には、接続情報管理部２１は、接続情報を生成し、生成した接続情報を設定データ送信部２８を用いて、ネットワークボード１７０４から送信する。送信された接続情報は、スイッチングハブ１４を経由して各画像受信再生装置１１で受信される。
接続情報管理部２１は、定期的に接続情報を送信してもよいし、接続情報を１度だけ送信して、各画像受信再生装置１１に静的な情報として記憶させておいてもよい。
【００２３】
図１０は、接続情報の例を示す。
接続情報では、図１０に示すように、画面ＩＤごとに、モニタ位置、モニタサイズ（解像度）、受信装置ＩＤ、画面数、ＩＰアドレスが記述されている。
画面ＩＤは、図１に示す画面ＩＤを表す。
モニタ位置は、各モニタ装置１２の位置を示す。モニタ位置は、図１の例では、各モニタ装置１２の左上の点の位置を表している。
モニタサイズは、各モニタ装置１２の大きさを示す。本実施の形態では、全てのモニタ装置１２の大きさは共通しており、横２０００ドット、縦１０００ドットである。
モニタ位置及びモニタサイズに記述されている値は、マルチ大画面に設定されている座標（以下、画面座標という）における値である。図１０の画面座標では、マルチ大画面の左上の画素を原点（横：０、縦：０）としている。
図１では、画面ＩＤ：００１のモニタ装置１２はマルチ大画面の左上に配置されており、このため、図１０の接続情報でも、画面ＩＤ：００１のモニタ位置は「横：０、縦：０」と記述されている。また、モニタサイズが横２０００ドット、縦１０００ドットであるため、画面ＩＤ：００１のモニタ装置１２がマルチ大画面で占める領域は、横方向では「横：０」から「横：２０００」であり、縦方向では「縦：０」から「縦：１０００」である。このように、接続情報では、各モニタ装置１２がマルチ大画面上で占める領域が画面座標により定義されている。
また、図１０において、受信装置ＩＤは、各モニタ装置１２が接続している画像受信再生装置１１のＩＤである。画面ＩＤ：００１の行では「１１ａ」となっており、画面ＩＤ：００１のモニタ装置１２が画像受信再生装置１１ａに接続していることが示されている。
画面数は、受信装置ＩＤの欄に記載されている画像受信再生装置１１に接続されているモニタ装置１２の数である。本実施の形態では、各画像受信再生装置１１には１台のモニタ装置１２が接続されているので、各行とも画面数は「１」である。
ＩＰアドレスは、画像受信再生装置１１のＩＰ（Ｉｎｔｅｒｎｅｔ  Ｐｒｏｔｏｃｏｌ）アドレスを表す。画面ＩＤ：００１の行では、画像受信再生装置１１ａのＩＰアドレスが記述されている。
【００２４】
図２に戻り、表示イメージレイアウト管理部２２は、表示イメージレイアウト情報を管理する。表示イメージレイアウト情報には、マルチ大画面に表示する画像のマルチ大画面上での表示位置が記述される。表示イメージレイアウト情報には、複数の画像の深度（重なりの関係）も記述される。表示イメージレイアウト情報は、例えば、画像生成送信装置１０内のアプリケーションプログラムにより生成される。また、表示イメージレイアウト情報が画像生成送信装置１０外のアプリケーションプログラムにより生成される場合もある。表示イメージレイアウト管理部２２が表示イメージレイアウト情報を変更する場合もある。表示イメージレイアウト情報は、メモリ１７０２に格納され、設定データ送信部２８によりネットワークボード１７０４からスイッチングハブ１４に送信される。また、表示イメージレイアウト情報は、スイッチングハブ１４から各画像受信再生装置１１に送信される。
【００２５】
図１２は、図１１の画面表示例についての表示イメージレイアウト情報の例を示す。
図１１は、図１のマルチ大画面に、画像が２つ表示されている例を示している。
図１１の中央付近の大きい画像が画像ＩＤ：００１の画像であり、右下の小さい画像が画像ＩＤ：００２の画像である。
表示イメージレイアウト情報は、マルチ大画面上に表示する解像度と、マルチ大画面に対する相対位置、画像を特定するタイトル、深度から構成される。「表示する解像度」は、画像生成送信装置１０から送信される画像のサイズとは関係なく、マルチ大画面に表示する場合の画像の解像度を意味する。図１２の表示イメージレイアウト情報の「表示する解像度」に示される解像度は、図１３に示す解像度と等しい。仮に画像生成送信装置１０から送信される画像が横：１２０００、縦：３０００の大きさであったとすると、マルチ大画面には、画像生成送信装置１０から送信される画像と比べて、縦及び横が１／２で面積が１／４の縮小サイズの画像が表示される。このように、画像受信再生装置１１は、図１３に示される画像の解像度と、図１２に示される「表示する解像度」から、画像を表示する際の拡大率又は縮小率を求めることができる。「マルチ大画面に対する相対位置」は、マルチ大画面上のどの位置を起点として画像を表示するかを示す。「表示する解像度」は「マルチ大画面に対する相対位置」で特定される点を起点として画像を展開する大きさを意味している。画像受信再生装置１１は、図１２の表示イメージレイアウト情報により、マルチ大画面上での各画像の表示状況が把握できる。このため、画像受信再生装置１１は、図１０の接続情報により特定される接続モニタ装置がマルチ大画面上で占める領域（接続モニタ領域）と重なる画像を識別することができる。
なお、各画像受信再生装置１１は、複数の分割画像から受信対象分割画像を抽出する際は、図１３に示す画像分割配信テーブルを参照する。図１３の画像分割配信テーブルの詳細については後述する。
【００２６】
図２に戻り、マルチキャストアドレス・ポート管理部２３は、マルチキャストアドレスとポートの組を管理する。マルチキャストアドレスとポートは、画像受信再生装置１１が、スイッチングハブ１４から分割画像を取得する際に用いられる通信アドレスである。
なお、実施の形態２で説明するようにマルチ大画面システム内に複数の画像生成送信装置１０が配置される場合は、マルチキャストアドレスとポートの組は、画像生成送信装置１０間で重複してはならない。利用可能なマルチキャストアドレスとポートの組は、初期状態では記憶装置１７０３に格納されている。利用可能なマルチキャストアドレスとポートの組は記憶装置１７０３内で更新されてもよい。また、利用可能なマルチキャストアドレスとポートの組をメモリ１７０２へ展開して、利用可能なマルチキャストアドレスとポートの組をメモリ１７０２で更新することにより、処理速度を向上させてもよい。
【００２７】
フレーム番号付与部２４は、アプリケーションプログラムが生成した画像やデスクトップの画像等をキャプチャし、キャプチャした画像に時系列に従ってフレーム番号を付与する。例えば、フレーム番号付与部２が１秒間に３０回のキャプチャを行い、キャプチャした画像を送信する場合は、送信レートは、３０フレーム毎秒である。フレーム番号付与部２４は、１回のキャプチャ画面ごとに識別番号を付与する。このようにすることで、画像が分割して送信された場合にも、画像受信再生装置１１ではフレーム番号を参照することで同じ瞬間の画像であることを確認できる。
【００２８】
画像分割配信テーブル管理部２５は、フレーム番号付与部２４によりキャプチャされた画像をメッシュ状に分割する。つまり、画像分割配信テーブル管理部２５は、マルチ大画面に表示される画像を複数の分割画像に分割する。そして、画像分割配信テーブル管理部２５は、画像分割配信テーブルを生成する。また、画像分割配信テーブル管理部２５は、設定データ送信部２８を用いてネットワークボード１７０４から画像分割配信テーブルを送信する。送信された画像分割配信テーブルは、スイッチングハブ１４を経由して各画像受信再生装置１１で受信される。画像分割配信テーブルは、各分割画像のマルチ大画面での表示領域を、画面座標を用いて定義する情報である。また、画像分割配信テーブルは、分割画像ごとに、画像受信再生装置１１がスイッチングハブ１４から分割画像を受信するために用いられるマルチキャストアドレスとポートの組を定義する。画像分割配信テーブルは、分割画像定義情報に相当する。
画像分割配信テーブル管理部２５は、画像分割部及び定義情報生成部に相当する。また、画像分割配信テーブル管理部２５で行われる動作は、画像分割処理及び定義情報生成処理に相当する。
【００２９】
図１３は、画像分割配信テーブルの例を示す。
図１３の（ａ）の画像分割配信テーブルは、図１２の画像ＩＤ：００１の画像についての画像分割配信テーブルである。
図１３の（ｂ）の画像分割配信テーブルは、図１２の画像ＩＤ：００２の画像についての画像分割配信テーブルである。
以下では、図１３の（ａ）の画像分割配信テーブルについて説明する。
図１３の（ａ）の画像分割配信テーブルの「分割数」にあるように、ここでは、画像分割配信テーブル管理部２５により画像ＩＤ：００１の画像が４つの分割画像に分割されている。
「分割ＩＤ」は、分割画像の識別子である。図１３の（ａ）に示す「Ａ」、「Ｂ」、「Ｃ」、「Ｄ」は、図１１に示す「Ａ」、「Ｂ」、「Ｃ」、「Ｄ」に対応する。
「マルチ大画面に対する相対位置」は、マルチ大画面上のどの位置を起点として分割画像を表示するかを示す。「矩形サイズ」は「マルチ大画面に対する相対位置」で特定される点を起点として分割画像を展開する大きさを意味している。「マルチ大画面に対する相対位置」に示される値、「矩形サイズ」に示される値は、画面座標上の値である。
分割ＩＤ：Ａの分割画像（以下、分割画像Ａという）は、「横：１０００」及び「縦：２００」の位置に左上の点が配置される、「横：３０００」×「縦：７５０」の面積を有する画像である。
同様に、分割ＩＤ：Ｂの分割画像は、「横：４０００」及び「縦：２００」の位置に左上の点が配置される、「横：３０００」×「縦：７５０」の面積を有する画像である。
このように、画像分割配信テーブルは、各分割画像のマルチ大画面での表示領域を、画面座標を用いて定義する。
画像受信再生装置１１は、画像分割配信テーブルに示される各分割画像の表示領域を参照することで、表示領域が接続モニタ領域と重なる分割画像を受信対象分割画像として抽出することができる。
また、「マルチキャストアドレス」及び「ポート番号」には、画像受信再生装置１１がスイッチングハブ１４から各分割画像を取得する際に用いられるマルチキャストアドレス及びポート番号が示される。
つまり、画像受信再生装置１１は、受信対象分割画像のマルチキャストアドレス及びポート番号をスイッチングハブ１４に提示することにより、スイッチングハブ１４から受信対象分割画像を受信することができる。
画像受信再生装置１１ａは、分割画像Ａを受信対象分割画像として抽出する。そして、画像受信再生装置１１ａは、分割画像Ａの「マルチキャストアドレス：２３９．１．１．１」と「ポート番号：５０００２」が含まれる要求をスイッチングハブ１４に送信することで、分割画像Ａをスイッチングハブ１４から受信する。
なお、「転送レート」は、スイッチングハブ１４が各分割画像を画像受信再生装置１１に転送する際のレートである。
【００３０】
図２に戻り、マルチキャストアドレス・ポート割り振り部２６は、各分割画像に、マルチキャストアドレスとポートの組を割り振る。マルチキャストアドレス・ポート割り振り部２６は、分割画像間でマルチキャストアドレスとポートの組が重複しないように各分割画像にマルチキャストアドレスとポートの組を割り振る。また、マルチキャストアドレス・ポート割り振り部２６は、マルチキャストアドレスとポートの組の使用状況（使用中／未使用）を管理する。マルチキャストアドレス・ポート割り振り部２６は、マルチキャストアドレスとポートの組の使用状況を管理することで、現在使用されていないマルチキャストアドレスとポートの組を分割画像に割り振ることができる。
【００３１】
画像分割ストリーム送信部２７は、分割画像を、画像分割配信テーブルに記載された属性に従って配信する。より具体的には、画像分割ストリーム送信部２７は、画像分割配信テーブルに記載されているマルチキャストアドレスとポート番号の組を分割画像に関連付けて、分割画像をスイッチングハブ１４に送信する。また、画像分割ストリーム送信部２７は、分割画像に、フレーム番号を付与する。画像分割ストリーム送信部２７は、既存のＲＴＰ（Ｒｅａｌｔｉｍｅ  Ｔｒａｎｓｐｏｒｔ  Ｐｒｏｔｏｃｏｌ）に従って分割画像を送信してもよいし、独自の送信プロトコルに従って分割画像を送信してもよい。また、画像分割ストリーム送信部２７は、分割画像の送信単位（サイズ）をＲＴＰに従って決めてもよいし、独自の送信プロトコルに従って決めてもよい。
なお、画像分割ストリーム送信部２７は後述の設定データ送信部２８とともに送信部に相当する。また、画像分割ストリーム送信部２７で行われる動作は、送信処理に相当する。
【００３２】
設定データ送信部２８は、画像受信再生装置１１が必要とする設定データをスイッチングハブ１４に送信する。設定データ送信部２８は、設定データとして、接続情報（図１０）、表示イメージレイアウト情報（図１２）、画像分割配信テーブル（図１３）を送信する。
全ての設定データの送信頻度が同じならば、１つの設定データ送信部２８で全ての設定データを送信することができる。設定データごとに送信頻度が異なる場合は、設定データごとに設定データ送信部２８を設けてもよいし、１つの設定データ送信部２８で全ての設定データを送信するようにしてもよい。
設定データ送信部２８は、画像分割ストリーム送信部２７とともに送信部に相当する。また、設定データ送信部２８で行われる動作は、送信処理に相当する。
【００３３】
送信負荷分散部２９は、画像生成送信装置１０にネットワークボード１７０４が複数実装されている場合に、各ネットワークボード１７０４の送信量が同等になるように負荷分散動作を行う。
【００３４】
次に、図３に示す機能構成例を用いて、本実施の形態に係る画像受信再生装置１１の動作を説明する。
【００３５】
接続モニタ領域特定部３０は、画像生成送信装置１０から送信された接続情報（図１０）をネットワークボード１８０４を介して受信する。また、接続モニタ領域特定部３０は、接続情報を参照し、接続モニタ装置がマルチ大画面上で占める領域である接続モニタ領域を、画面座標を用いて特定する。
例えば、画像受信再生装置１１ａの接続モニタ装置は、画面ＩＤ：００１のモニタ装置１２である。このため、画像受信再生装置１１ａの接続モニタ領域特定部３０は、接続情報の「画面ＩＤ：００１」の行に示される「横：０、縦：０」（モニタ位置）と、「横：２０００、縦：１０００」（モニタサイズ）から接続モニタ領域を特定する。
接続モニタ領域特定部３０は、画像生成送信装置１０から定期的に接続情報が送信されるのでなければ、受信した接続情報を記憶装置１８０３に格納する。また、接続モニタ領域特定部３０は、画像生成送信装置１０から定期的に接続情報が送信されるのであれば、受信した接続情報をメモリ１８０２に格納する。
接続モニタ領域特定部３０で行われる動作は領域特定処理に相当する。
【００３６】
表示画像管理部３１は、画像生成送信装置１０から送信された表示イメージレイアウト情報（図１２）をネットワークボード１８０４を介して受信する。また、表示画像管理部３１は、表示イメージレイアウト情報に示される画像の領域と、接続モニタ領域特定部３０で特定された接続モニタ領域とに基づき、接続モニタ装置に表示すべき画像を識別する。
例えば、画像受信再生装置１１ａの表示画像管理部３１は、接続モニタ装置である画面ＩＤ：００１のモニタ装置１２に表示すべき画像として、画像ＩＤ：００１の画像を識別する。
表示イメージレイアウト情報は、マルチ大画面システムが稼働している間だけ有効な情報であるため、メモリ１８０２に格納することで処理速度を向上させることができる。また、表示イメージレイアウト情報が更新される度に、更新後の表示イメージレイアウト情報を記憶装置１８０３に格納するようにしてもよい。このようにすることで、画像受信再生装置１１を再起動する場合にも、画像受信再生装置１１は再起動後に速やかに接続モニタ装置に画像を出力することができる。
また、表示画像管理部３１は、画像生成送信装置１０から送信された画像分割配信テーブル（図１３）をネットワークボード１８０４を介して受信する。
表示画像管理部３１は受信部に相当する。また、表示画像管理部３１で行われる動作は受信処理に相当する。
【００３７】
受信ストリーム認識部３２は、画像分割配信テーブルに示される分割画像の表示領域と、接続モニタ領域特定部３０で特定された接続モニタ領域とに基づき、受信対象分割画像を抽出する。更に、受信ストリーム認識部３２は、画像分割配信テーブルに示される分割画像の表示領域と、接続モニタ領域特定部３０で特定された接続モニタ領域とに基づき、再生対象範囲を抽出する。
より具体的には、受信ストリーム認識部３２は、画像分割配信テーブルで定義されている表示領域が接続モニタ領域と少なくとも一部において重複している分割画像を受信対象分割画像として抽出する。また、受信ストリーム認識部３２は、受信対象分割画像のうち接続モニタ領域と重複している範囲を再生対象範囲として抽出する。
例えば、画像受信再生装置１１ａでは、表示画像管理部３１が、表示イメージレイアウト情報を参照して、画像ＩＤ：００１の画像を、接続モニタ装置に表示すべき画像として識別する。そして、受信ストリーム認識部３２が、画像ＩＤ：００１の画像についての画像分割配信テーブルを参照して、分割画像Ａを受信対象分割画像として抽出する。更に、受信ストリーム認識部３２は、分割画像Ａのうち接続モニタ領域と重複している範囲を再生対象範囲として抽出する。
また、受信ストリーム認識部３２は、複数の受信対象分割画像が抽出され、抽出された複数の受信対象分割画像から抽出された複数の再生対象範囲のうちのいずれかの再生対象範囲が他の再生対象範囲の背後になり接続モニタ装置において表示されない場合に、接続モニタ装置において表示されない再生対象範囲が含まれる受信対象分割画像を受信しないようストリーム受信表示部３３に指示してもよい。また、受信ストリーム認識部３２は、接続モニタ装置において表示されない再生対象範囲を再生しないようストリーム受信表示部３３に指示してもよい。
例えば、画像受信再生装置１１ｈの受信ストリーム認識部３２は、画像ＩＤ：００１内の分割ＩＤ：Ｄの分割画像（以下、００１分割画像Ｄという）と画像ＩＤ：００２の分割ＩＤ：Ａの分割画像（以下、００２分割画像Ａという）を受信対象分割画像として抽出する。しかし、図１１に示すように、００１分割画像Ｄは、００２分割画像Ａの背後に隠れてしまい、表示されない。このため、画像受信再生装置１１ｈの受信ストリーム認識部３２は、ストリーム受信表示部３３に００１分割画像Ｄを受信しないように指示する、もしくは、００１分割画像Ｄの再生対象範囲を再生しないよう指示する。これにより、画像受信再生装置１１における画像受信負荷又は画像再生負荷を軽減することができる。
なお、受信ストリーム認識部３２は抽出部に相当する。また、受信ストリーム認識部３２で行われる動作は抽出処理に相当する。
【００３８】
ストリーム受信表示部３３は、受信ストリーム認識部３２により抽出された受信対象分割画像をスイッチングハブ１４から受信する。より具体的には、ストリーム受信表示部３３は、受信対象分割画像のマルチキャストアドレスとポート番号が含まれる要求をスイッチングハブ１４に送信することで、受信対象分割画像をスイッチングハブ１４から受信する。また、ストリーム受信表示部３３は、受信した受信対象分割画像のうち再生対象範囲のみを再生し、再生対象範囲の再生結果を接続モニタ装置に出力する。
なお、ストリーム受信表示部３３は、再生部に相当する。また、ストリーム受信表示部３３で行われる動作は、再生処理に相当する。
【００３９】
次に、図５及び図６のフローチャートを用いて、画像生成送信装置１０の動作例を説明する。
【００４０】
まず、ステップ４０１にて、接続情報管理部２１が、マルチ大画面システムの接続情報をメモリ１７０２又は記憶装置１７０３から読み込む。接続情報は、画像生成送信装置１０では、表示イメージレイアウト情報を生成する際に、各画像のマルチ大画面上での位置を特定するために用いられる。また、接続情報は、各画像受信再生装置１１が接続モニタ領域を特定するために用いられる。
【００４１】
また、接続情報管理部２１は、ステップ４０２にて、接続情報を設定データ送信部２８に転送する。設定データ送信部２８は、ネットワークボード１７０４から接続情報を送信する。送信された接続情報は、スイッチングハブ１４を経由して各画像受信再生装置１１で受信される。
【００４２】
次に、ステップ４０３にて、表示イメージレイアウト管理部２２が、表示イメージレイアウト情報が更新されるのを待つ。この際、表示イメージレイアウト管理部２２は、一定間隔で表示イメージレイアウト情報が更新された否かを確認してもよい。また、表示イメージレイアウト管理部２２は休眠状態に入り、アプリケーションプログラムが表示イメージレイアウトを更新したタイミングで、休眠状態を解いてもよい。
表示イメージレイアウトの更新が休眠解除のタイミングとなるため、画像受信再生装置１１とは異なるＰＣなどで表示イメージレイアウト情報を更新し、ＰＣから表示イメージレイアウト情報の更新を表示イメージレイアウト管理部２２に通知してもよい。なお、表示イメージレイアウト管理部２２は、どのような方法によって休眠状態を解除してもよい。
【００４３】
次に、ステップ４０４にて、表示イメージレイアウト管理部２２が、表示イメージレイアウト情報をメモリ１７０２又は記憶装置１７０３から読み込む。
【００４４】
また、表示イメージレイアウト管理部２２は、ステップ４０５にて、表示イメージレイアウト情報を設定データ送信部２８に転送する。設定データ送信部２８は、ネットワークボード１７０４から接続情報を送信する。送信された接続情報は、スイッチングハブ１４を経由して各画像受信再生装置１１で受信される。
【００４５】
次に、ステップ４０６において、表示イメージレイアウト管理部２２が、表示イメージレイアウト情報を精査し、表示イメージレイアウト情報の内容が変化したかどうかを確認する。
【００４６】
表示イメージレイアウト情報の内容に変化が無い場合は、処理がステップ４０３に戻る。
【００４７】
表示イメージレイアウト情報において画像が減っている場合には、ステップ４０７において、表示イメージレイアウト管理部２２は、表示イメージレイアウト情報から削除された画像のストリームの送信を終了する処理を行う（ステップ４０７）。具体的には、表示イメージレイアウト管理部２２は、画像分割ストリーム送信部２７に、該当する画像のストリームの送信を終了するよう指示する。画像分割ストリーム送信部２７は、該当する画像のストリームの送信を終了する。
【００４８】
また、ステップ４１４において、画像分割配信テーブル管理部２５が、表示イメージレイアウト情報から削除された画像の情報を画像分割配信テーブルから削除する。更に、設定データ送信部２０８が、ステップ４１５において、ステップ４１４で更新された画像分割配信テーブルを送信する。その後、処理がステップ４０３に戻る。
【００４９】
表示イメージレイアウト情報において画像が増えている場合、もしくは画像のサイズが変化している場合は、ステップ４０８において、画像分割配信テーブル管理部２５が、表示イメージレイアウト情報に追加された新たな画像の複数の分割画像への分割、または、サイズが変化した画像の再分割を行う。画像分割配信テーブル管理部２５は分割又は再分割の対象の画像を既定の矩形サイズに分割又は再分割する。更に、ステップ４０８において、画像分割配信テーブル管理部２５が、新たな画像の画像分割配信テーブルの生成、または、サイズが変化した画像の画像分割配信テーブルの更新を行う。
【００５０】
次に、ステップ４０９において、画像分割配信テーブル管理部２５は、マルチキャストアドレス・ポート割り振り部２６に未使用のマルチキャストとポート番号の組を問合せる。更に、ステップ４０９において、画像分割配信テーブル管理部２５は、マルチキャストアドレス・ポート割り振り部２６から通知されたマルチキャストアドレスとポート番号を、ステップ４０８で生成された画像分割配信テーブルの分割画像またはステップ４０８で画像分割配信テーブルに追加された分割画像に付与する。ステップ４０９が完了すると、画像分割配信テーブルが完成する。
【００５１】
次に、ステップ４１０において、画像分割配信テーブル管理部２５は、完成した画像分割配信テーブルを設定データ送信部２８を介して送信し、更に、画像分割ストリーム送信部２７を介して、該当する分割画像のストリームを送信する。
より具体的には、画像分割配信テーブル管理部２５は、完成した画像分割配信テーブルを設定データ送信部２８に転送し、設定データ送信部２８がネットワークボード１７０４から画像分割配信テーブルをネットワークに送信する。更に、画像分割配信テーブル管理部２５は、画像分割ストリーム送信部２７を起動またはリセット（既に送信中の画像のサイズが変更になった場合）する。画像分割ストリーム送信部２７は、新しい画像分割配信テーブルに記載された情報に従ってストリームの送信を開始またはリセットする。この時、画像分割ストリーム送信部２７は、フレーム番号付与部２４により生成されたフレーム番号を分割画像のストリームに付与し、フレーム番号が付与された画像分割のストリームを送信する。
また、ストリームの送信の際に、送信負荷分散部２９が物理的なポートの送信状況を確認して、送信負荷の低いポートを選択する。このような送信負荷分散部２９の負荷分散動作により、安価で伝送容量の少ない普及型のネットワークにおいても、送信容量オーバーによる送信不具合が起こりにくくなる。
【００５２】
画像生成送信装置１０では、画像のキャプチャ、フレーム番号の付与（インクリメント）、画像の分割、分割画像ごとに定められたマルチキャストアドレスとポートの組の割り振り、画像分割配信テーブルの生成、画像分割配信テーブルの送信、ストリームの送信という一連の動作が、表示の終了がなされるまで、または、画像のサイズ変更などの送信方法の変更がなされるまで繰り返される。
【００５３】
次に、ステップ４１２でマルチ大画面システムの終了命令が受信されている場合には、ステップ４１３においてシステム終了処理が行われる。システム終了処理では、画像分割ストリーム送信部２７が、ステップ４１１で起動した、全ての画像分割のストリームの送信を停止する。また、画像分割ストリーム送信部２７が、マルチキャストアドレス・ポート管理部２３に、ストリームの送信に使用していたマルチキャストアドレスとポートの組を返却する。また、画像分割配信テーブル管理部２５が、画像分割配信テーブルを破棄する。
一方、マルチ大画面システムの終了命令がなければ、処理がステップ４０３に戻る。
【００５４】
次に、図７のフローチャートを用いて、画像受信再生装置１１の接続モニタ領域特定部３０の動作を説明する。
【００５５】
ステップ５０１において、接続モニタ領域特定部３０は、画像生成送信装置１０より送信された接続情報を受信する。また、接続モニタ領域特定部３０は、受信した接続情報をメモリ１８０２または記憶装置１８０３に格納する。
次に、ステップ５０２において、接続モニタ領域特定部３０は、接続情報に基づき、接続モニタ領域を特定する。なお、接続モニタ領域の特定方法の詳細は、前述したとおりである。接続モニタ領域特定部３０は、特定した接続モニタ領域の情報をメモリ１８０２に格納する。
【００５６】
次に、図８のフローチャートを用いて、画像受信再生装置１１の表示画像管理部３１の動作を説明する。
【００５７】
ステップ６０１において、表示画像管理部３１は、画像生成送信装置１０より送信された表示イメージレイアウト情報を受信する。また、表示画像管理部３１は、表示イメージレイアウト情報をメモリ１８０２または記憶装置１８０３に格納する。
【００５８】
次に、ステップ６０２において、表示画像管理部３１は、画像生成送信装置１０より送信された画像分割配信テーブルを受信する。また、表示画像管理部３１は、画像分割配信テーブルをメモリ１８０２または記憶装置１８０３に格納する。
【００５９】
次に、ステップ６０３において、表示画像管理部３１は、以前に受信した表示イメージレイアウト情報とステップ６０１において受信した表示イメージレイアウト情報を比較する。
そして、ステップ６０４において、表示画像管理部３１は、２つの表示イメージレイアウト情報において差異があるか否かを判定する。
２つの表示イメージレイアウト情報において差異がある場合は、表示画像管理部３１は、ステップ６０５において、受信ストリーム認識部３２の休眠を解除する。
【００６０】
そして、表示画像管理部３１は、ステップ６０６において、古い表示イメージレイアウト情報と古い画像分割配信テーブルを削除する。
【００６１】
なお、図８の例では、表示イメージレイアウト情報の後に画像分割配信テーブルが画像生成送信装置１０から送信されることを前提としているが、画像分割配信テーブルの後に表示イメージレイアウト情報が送信されてもよい。
【００６２】
次に、図９のフローチャートを用いて、画像受信再生装置１１の受信ストリーム認識部３２の動作を説明する。
【００６３】
受信ストリーム認識部３２は、図８のステップ６０５で起動されると、ステップ７０１において、図７のステップ５０２で得られた接続モニタ領域の情報をメモリ１８０２から取得する。
【００６４】
次に、ステップ７０２において、受信ストリーム認識部３２は、図８のステップ６０２で得られた画像分割配信テーブルをメモリ１８０２又は記憶装置１８０３から取得する。
【００６５】
次に、ステップ７０３において、受信ストリーム認識部３２は、属性モニタ領域と、画像分割配信テーブルに記述されている各分割画像の表示領域とを照合して、受信対象分割画像と再生対象範囲を抽出する。そして、抽出した受信対象分割画像と再生対象範囲が記述される表示リストを生成する。
受信対象分割画像と再生対象範囲の抽出方法は、前述したとおりである。また、表示リストは、例えば、図１４に示す情報である。表示リストの詳細は後述する。
【００６６】
次に、全ての画像について受信対象分割画像と再生対象範囲とを抽出していれば（ステップ７０４でＹＥＳ）、ステップ７０５において、受信ストリーム認識部３２は、ステップ７０３で生成した表示リストと、画像分割配信テーブルに記述されている、受信対象分割画像のマルチキャストアドレスとポート番号の組を、ストリーム受信表示部３３に転送する。
【００６７】
最後に、ステップ７０６において、受信ストリーム認識部３２は休眠状態に移行する。再度、図８のステップ６０５において表示画像管理部３１により受信ストリーム認識部３２の休眠が解除された場合は、受信ストリーム認識部３２はステップ７０２から処理を開始する。つまり、表示画像管理部３１により初めて休眠が解除された場合は、受信ストリーム認識部３２はステップ７０１から処理を開始する。一方、２回目以降の休眠の解除では、初回の休眠解除時に接続モニタ領域の情報は取得済みであり、接続モニタ領域の情報は変化しないため、受信ストリーム認識部３２はステップ７０２から処理を開始する。
【００６８】
ストリーム受信表示部３３は、受信ストリーム認識部３２から表示リストと受信対象分割画像のマルチキャストアドレスとポート番号の組を取得する。
そして、ストリーム受信表示部３３は前述したように、受信対象分割画像のマルチキャストアドレスとポート番号の組を含む要求をスイッチングハブ１４に送信し、スイッチングハブ１４から受信対象分割画像を受信する。また、表示リストの記述に従って、受信対象分割画像から再生対象範囲を選択し、再生対象範囲を再生する。また、ストリーム受信表示部３３は、受信ストリーム認識部３２から新たな表示リストと新たな受信対象分割画像のマルチキャストアドレスとポート番号の組を取得した場合は、現在受信中の受信対象分割画像の受信を停止し、また、現在再生中の再生対象範囲の再生を停止する。そして、ストリーム受信表示部３３は、受信ストリーム認識部３２から取得した新たな表示リストと新たな受信対象分割画像のマルチキャストアドレスとポート番号の組に従って、新たな受信対象分割画像を受信し、また、新たな再生対象範囲を再生する。
【００６９】
図１４は、図９のステップ７０３で生成される表示リストの例を示す。
図１４は、図１１の画像が表示される場合に、画面ＩＤ：００８のモニタ装置１２に接続される画像受信再生装置１１ｈの受信ストリーム認識部３２で生成される表示リストの例を示す。
図１４において、「画像ＩＤ」は図１２の「画像ＩＤ」と同じである。「分割ＩＤ」は図１３の「分割ＩＤ」と同じである。
画像受信再生装置１１ｈの受信ストリーム認識部３２は、接続モニタ領域と、画像分割配信テーブルに記述されている各分割画像の表示領域との照合により、画像ＩＤ：００１の画像については分割ＩＤ：Ｄの分割画像（００１分割画像Ｄ）を受信対象分割画像として抽出する。更に、画像受信再生装置１１ｈの受信ストリーム認識部３２は、画像ＩＤ：００２の画像については、分割ＩＤ：Ａの分割画像（００２分割画像Ａ）を受信対象分割画像として抽出する。
また、画像受信再生装置１１ｈの受信ストリーム認識部３２は、接続モニタ領域と、画像分割配信テーブルに記述されている各分割画像の表示領域との照合により、００１分割画像Ｄの再生対象範囲を抽出し、更に、００２分割画像Ａの再生対象範囲を抽出する。
画像受信再生装置１１ｈの接続モニタ領域（マルチ大画面の左上点からのオフセット）の起点（左上点）は、「横：６０００」及び「縦：１０００」である。００１分割画像Ｄのマルチ大画面の左上点からのオフセットは、「横：４０００」及び「縦：１０００」である。また、「横：４０００」及び「縦：１０００」の点から展開されている００１分割画像Ｄのサイズは「横：３０００」及び「縦：７５０」である。画像受信再生装置１１ｈの受信ストリーム認識部３２は、００１分割画像Ｄの領域のうち、「横：２０００」及び「縦：０」の位置から「横：１０００」×「縦：７５０」ドットの大きさの範囲を再生対象範囲として指定する。また、００１分割画像Ｄは、接続モニタ装置の起点（左上座標）をまたぐ分割画像であるため、再生対象範囲の起点を表示する接続モニタ装置上の位置は、「横：０」及び「縦：０」の位置（接続モニタ装置の起点）である。また、図１２及び図１３により、画像ＩＤ：００１の画像の拡大縮小率は１．００であり、等倍である。このため、接続モニタ装置では、画像受信再生装置１１ｈでの再生結果を、解像度を変更せずに表示する。また、００１分割画像Ｄの深度が００２分割画像Ａの深度よりも小さいので、ストリーム受信表示部３３は、００１分割画像Ｄが００２分割画像Ａの背後に表示されるように００１分割画像Ｄと００２分割画像Ａを再生する。
以上では、００１分割画像Ｄの再生対象範囲の抽出手順を説明しているが、画像受信再生装置１１ｈの受信ストリーム認識部３２は、００２分割画像Ａでも同様の手順にて再生対象範囲を抽出することができる。
なお、００１分割画像Ｄは００２分割画像Ａの背後に隠れてしまい、接続モニタ装置で００１分割画像Ｄが表示されない（００１分割画像Ｄがユーザに視認されない）ため、受信ストリーム認識部３２が００１分割画像Ｄを再生しないようにしてもよい。また、受信ストリーム認識部３２は、００１分割画像Ｄを受信しないようにしてもよい。このように、受信対象分割画像の受信又は再生対象範囲の再生を省略することにより、画像受信再生装置１１の処理負荷を軽減することができる。
【００７０】
＊＊＊実施の形態の効果の説明＊＊＊
本実施の形態では、画像生成送信装置は、１つの画像を複数のマルチキャストストリームに分割して送信する。このため、画像受信再生装置は、接続モニタ装置が表示する分割画像を含むストリームのみを受信し、再生すればよいので、画像受信再生装置の受信負荷及び再生負荷を軽減することができる。
また、本実施の形態では、画像受信再生装置は、他の画像の背後に隠れて表示されない画像の受信又は再生を省略することができる。このため、画像受信再生装置の受信負荷又は再生負荷を軽減することができる。
【００７１】
実施の形態２．
実施の形態１では、図１に示すように、１つのマルチ大画面のみが含まれる比較的簡易なマルチ大画面システムを説明した。
図４に示すように、２つのマルチ大画面が含まれるマルチ大画面システムを構成することも可能である。
図４では、上段のマルチ大画面は、画面ＩＤ：００１〜００８の８台のモニタ装置１２で構成される。また、下段のマルチ大画面は、画面ＩＤ：００９〜０１６の８台のモニタ装置１２で構成される。
実施の形態１と同様に、各モニタ装置１２は画像受信再生装置１１に接続している。また、各画像受信再生装置１１はスイッチングハブ１４に接続している。更に、図４では、画像生成送信装置１０ａと画像生成送信装置１０ｂがスイッチングハブ１４に接続している。なお、画像生成送信装置１０ａと画像生成送信装置１０ｂを区別する必要がなければ、画像生成送信装置１０ａと画像生成送信装置１０ｂを総称して画像生成送信装置１０という。画像生成送信装置１０ａは、上段のマルチ大画面（画面ＩＤ：００１〜００８）と下段のマルチ大画面（画面ＩＤ：００９〜０１６）に同じ画像を表示させることができる。画像生成送信装置１０ｂも、上段のマルチ大画面と下段のマルチ大画面に同じ画像を表示させることができる。また、画像生成送信装置１０ａが上段のマルチ大画面に画像を表示させ、画像生成送信装置１０ｂが下段のマルチ大画面に別の画像を表示させることもできる。更に、画像生成送信装置１０ｂが上段のマルチ大画面に画像を表示させ、画像生成送信装置１０ａが下段のマルチ大画面に別の画像を表示させることもできる。
上段のマルチ大画面と下段のマルチ大画面が物理的に異なる場所（ビル内の異なるフロアなど）に設置されていれば、画像生成送信装置１０は任意の画像を両方のマルチ大画面に同時に表示することができる。これは、遠く離れた複数の場所で、同時に同じ画像を見ることができることを意味する。さらに、マルチ大画面間でサイズの異なる画像を表示することも可能である。例えば、上段のマルチ大画面では画像を等倍に表示し、下段のマルチ大画面では１／２に縮小して画像を表示することが可能である。
【００７２】
なお、画像生成送信装置１０及び画像受信再生装置１１の機能構成例及びハードウェア構成例は、実施の形態１で示したとおりである。また、画像生成送信装置１０及び画像受信再生装置１１の動作例も実施の形態１で示したとおりである。
また、図４では、２つのマルチ大画面が含まれる構成を示したが、３つ以上のマルチ大画面が含まれる構成も可能である。
【００７３】
以上、本実施の形態によれば、複数のマルチ大画面に任意の画像を表示することが可能である。
また、スイッチングハブが分割画像をマルチキャストで送信するため、複数のマルチ大画面に別々の拡大縮小率で画像を表示する場合でも画像生成送信装置の負荷は変わらない。
また、本実施の形態では、画像生成送信装置からの拡大縮小の指示に応じて、複数のマルチ大画面システムで異なる拡大縮小率で画像を表示することができる。
【００７４】
実施の形態３．
実施の形態１及び実施の形態２では、画像受信再生装置１１に１台のモニタ装置１２が接続される構成を説明した。これに対して、画像受信再生装置１１に複数台のモニタ装置１２が接続されるようにしてもよい。
すなわち、図１５の画像受信再生装置１１ａのように、１台の画像受信再生装置１１が２台以上のモニタ装置１２と接続してもよい。また、画像受信再生装置１１ｃのように１台のモニタ装置１２が接続される画像受信再生装置１１と、画像受信再生装置１１ａのように複数台のモニタ装置１２が接続される画像受信再生装置１１とが混在してもよい。
図１６は、図１５の構成の場合の接続情報の例を示す。
画像受信再生装置１１ａに対しては、画面ＩＤ：００１のモニタ装置と画面ＩＤ：００２のモニタ装置の領域が定義されている。また、画面数は「２」になっている。一方、画像受信再生装置１１ｃに対しては、画面ＩＤ：００３のモニタ装置の領域のみが定義されている。
【００７５】
画像受信再生装置１１が複数の映像出力端子を備える場合は、１台の画像受信再生装置１１で複数台のモニタ装置１２に接続することができる。この接続形態については、技術の進歩に伴い変化すると考えられる。
【００７６】
なお、画像生成送信装置１０及び画像受信再生装置１１の機能構成例及びハードウェア構成例は、実施の形態１で示したとおりである。また、画像生成送信装置１０及び画像受信再生装置１１の動作例も実施の形態１で示したとおりである。
また、図１５では、１台の画像受信再生装置１１に２台のモニタ装置１２が接続される例を示したが、１台の画像受信再生装置１１に３台以上のモニタ装置１２が接続されていてもよい。
【００７７】
実施の形態４．
以上の実施の形態では、「表示イメージレイアウト情報」に基づき、画像受信再生装置１１が自律的に動作できる構成を示してきたが、表示イメージレイアウト情報は、表示を切り替えるコマンドとして、画像生成送信装置１０、あるいは第３のＰＣなどから送信すれば、同等の動作が可能である。
【００７８】
以上、本発明の実施の形態について説明したが、これらの実施の形態のうち、２つ以上を組み合わせて実施しても構わない。
あるいは、これらの実施の形態のうち、１つを部分的に実施しても構わない。
あるいは、これらの実施の形態のうち、２つ以上を部分的に組み合わせて実施しても構わない。
なお、本発明は、これらの実施の形態に限定されるものではなく、必要に応じて種々の変更が可能である。
【００７９】
＊＊＊ハードウェア構成の説明＊＊＊
最後に、ハードウェア構成の補足説明を行う。
図１７及び図１８に示す記憶装置１７０３、１８０３には、ＯＳ（Ｏｐｅｒａｔｉｎｇ
Ｓｙｓｔｅｍ）も記憶されている。
そして、ＯＳの少なくとも一部がプロセッサ１７０１、１８０１により実行される。
プロセッサ１７０１、１８０１はＯＳの少なくとも一部を実行しながら、図２に示す機能構成要素又は図３に示す機能構成要素を実現するプログラムを実行する。
プロセッサ１７０１、１８０１がＯＳを実行することで、タスク管理、メモリ管理、ファイル管理、通信制御等が行われる。
また、図２に示す機能構成要素の処理の結果を示す情報やデータや信号値や変数値が、メモリ１７０２、又は、プロセッサ１７０１内のレジスタ又はキャッシュメモリに記憶される。
また、図３に示す機能構成要素の処理の結果を示す情報やデータや信号値や変数値が、メモリ１８０２、又は、プロセッサ１８０１内のレジスタ又はキャッシュメモリに記憶される。
また、図２に示す機能構成要素を実現するプログラム又は図３に示す機能構成要素を実現するプログラムは、磁気ディスク、フレキシブルディスク、光ディスク、コンパクトディスク、ブルーレイ（登録商標）ディスク、ＤＶＤ等の可搬記憶媒体に記憶されてもよい。
【００８０】
また、画像生成送信装置１０又は画像受信再生装置１１は、ロジックＩＣ（Ｉｎｔｅｇｒａｔｅｄ  Ｃｉｒｃｕｉｔ）、ＧＡ（Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）といった電子回路により実現されてもよい。
この場合は、図２に示す機能構成要素又は図３に示す機能構成要素は、電子回路の一部として実現される。
なお、プロセッサ及び上記の電子回路を総称してプロセッシングサーキットリーともいう。
【符号の説明】
【００８１】
１０  画像生成送信装置、１１  画像受信再生装置、１２  モニタ装置、１３  映像ケーブル、１４  スイッチングハブ、１５  ネットワーク用ケーブル、２１  接続情報管理部、２２  表示イメージレイアウト管理部、２３  マルチキャストアドレス・ポート管理部、２４  フレーム番号付与部、２５  画像分割配信テーブル管理部、２６  マルチキャストアドレス・ポート割り振り部、２７  画像分割ストリーム送信部、２８  設定データ送信部、２９  送信負荷分散部、３０  接続モニタ領域特定部、３１  表示画像管理部、３２  受信ストリーム認識部、３３  ストリーム受信表示部。
【図１】
2017168582.tif 000003
【図２】
2017168582.tif 000004
【図３】
2017168582.tif 000005
【図４】
2017168582.tif 000006
【図５】
2017168582.tif 000007
【図６】
2017168582.tif 000008
【図７】
2017168582.tif 000009
【図８】
2017168582.tif 000010
【図９】
2017168582.tif 000011
【図１０】
2017168582.tif 000012
【図１１】
2017168582.tif 000013
【図１２】
2017168582.tif 000014
【図１３】
2017168582.tif 000015
【図１４】
2017168582.tif 000016
【図１５】
2017168582.tif 000017
【図１６】
2017168582.tif 000018
【図１７】
2017168582.tif 000019
【図１８】
2017168582.tif 000020
【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
複数のモニタ装置が並べられて形成された表示画面に画像を表示させる表示システムに含まれ、前記複数のモニタ装置のうちのいずれかのモニタ装置に接続されている画像受信再生装置であって、
接続されているモニタ装置である接続モニタ装置が前記表示画面上で占める領域である接続モニタ領域を、前記表示画面に設定されている座標である画面座標を用いて特定する接続モニタ領域特定部と、
前記表示画面に表示させる前記画像から分割された複数の分割画像の各々の前記表示画面での表示領域を前記画面座標を用いて定義する分割画像定義情報を受信する受信部と、
前記分割画像定義情報で定義されている表示領域が前記接続モニタ領域と少なくとも一部において重複している分割画像である受信対象分割画像を前記複数の分割画像から抽出し、前記受信対象分割画像のうち前記接続モニタ領域と重複している範囲である再生対象範囲を抽出する抽出部と、
前記受信対象分割画像を受信し、前記受信対象分割画像のうち前記再生対象範囲を再生し、前記再生対象範囲の再生結果を前記接続モニタ装置に出力する再生部とを有し、
前記受信部は、
分割画像ごとに、分割画像の取得に用いられるマルチキャストアドレスを定義する前記分割画像定義情報を受信し、
前記再生部は、
前記分割画像定義情報で定義されている前記受信対象分割画像のマルチキャストアドレスを用いて送信元から前記受信対象分割画像を受信する画像受信再生装置。
【請求項２】
前記再生部は、
前記抽出部により複数の受信対象分割画像が抽出され、前記複数の受信対象分割画像から抽出された複数の再生対象範囲のうちのいずれかの再生対象範囲が他の再生対象範囲の背後になり前記接続モニタ装置において表示されない場合に、前記接続モニタ装置において表示されない再生対象範囲を再生しない請求項１に記載の画像受信再生装置。
【請求項３】
前記再生部は、
前記抽出部により複数の受信対象分割画像が抽出され、抽出された前記複数の受信対象分割画像から抽出された複数の再生対象範囲のうちのいずれかの再生対象範囲が他の再生対象範囲の背後になり前記接続モニタ装置において表示されない場合に、前記接続モニタ装置において表示されない再生対象範囲が含まれる受信対象分割画像を受信しない請求項１に記載の画像受信再生装置。
【請求項４】
複数のモニタ装置が並べられて形成された表示画面に画像を表示させる表示システムに含まれ、前記複数のモニタ装置のうちのいずれかのモニタ装置に接続される画像受信再生装置と通信を行う、前記画像受信再生装置と接続されている中継装置に接続されている画像生成送信装置であって、
前記表示画面に表示される前記画像を複数の分割画像に分割する画像分割部と、
各分割画像の前記表示画面での表示領域を、前記表示画面に設定されている座標である画面座標を用いて定義する分割画像定義情報を生成する定義情報生成部と、
前記分割画像定義情報を前記画像受信再生装置に送信する送信部とを有し、
前記画像受信再生装置は、
接続されているモニタ装置である接続モニタ装置が前記表示画面上で占める領域である接続モニタ領域を、前記画面座標を用いて特定しており、
前記画像生成送信装置は、
前記分割画像定義情報を前記画像受信再生装置に送信することにより、
前記画像受信再生装置に、前記分割画像定義情報で定義されている表示領域が前記接続モニタ領域と少なくとも一部において重複している分割画像である受信対象分割画像を前記複数の分割画像から抽出させ、前記受信対象分割画像のうち前記接続モニタ領域と重複している範囲である再生対象範囲を抽出させ、前記受信対象分割画像を受信させ、前記受信対象分割画像のうち前記再生対象範囲を再生させ、前記再生対象範囲の再生結果を前記接続モニタ装置に出力させ、
前記定義情報生成部は、
分割画像ごとに、前記画像受信再生装置が前記中継装置から分割画像を取得する際に用いるマルチキャストアドレスを定義する前記分割画像定義情報を生成し、
前記送信部は、
前記分割画像定義情報を前記画像受信再生装置に送信した後に、各分割画像を対応するマルチキャストアドレスと関連付けて前記中継装置に送信する画像生成送信装置。
【請求項５】
複数のモニタ装置が並べられて形成された表示画面に画像を表示させる表示システムであって、
前記複数のモニタ装置のうちのいずれかのモニタ装置に接続されている画像受信再生装置と、
前記画像受信再生装置と通信を行う画像生成送信装置とを有し、
前記画像生成送信装置は、
前記表示画面に表示される前記画像を複数の分割画像に分割し、
各分割画像の前記表示画面での表示領域を、前記表示画面に設定されている座標である画面座標を用いて定義する分割画像定義情報を生成し、
前記分割画像定義情報を前記画像受信再生装置に送信し、
前記画像受信再生装置は、
接続されているモニタ装置である接続モニタ装置が前記表示画面上で占める領域である接続モニタ領域を、前記画面座標を用いて特定し、
前記分割画像定義情報を受信し、
前記分割画像定義情報で定義されている表示領域が前記接続モニタ領域と少なくとも一部において重複している分割画像である受信対象分割画像を前記複数の分割画像から抽出し、前記受信対象分割画像のうち前記接続モニタ領域と重複している範囲である再生対象範囲を抽出し、
前記受信対象分割画像を受信し、前記受信対象分割画像のうち前記再生対象範囲を再生し、前記再生対象範囲の再生結果を前記接続モニタ装置に出力し、
前記画像生成送信装置は、
前記画像受信再生装置と接続されている中継装置に接続されており、
分割画像ごとに、前記画像受信再生装置が前記中継装置から分割画像を取得する際に用いるマルチキャストアドレスを定義する前記分割画像定義情報を生成し、
前記分割画像定義情報を前記画像受信再生装置に送信した後に、各分割画像を対応するマルチキャストアドレスと関連付けて前記中継装置に送信し、
画像受信再生装置は、
前記分割画像定義情報で定義されている前記受信対象分割画像のマルチキャストアドレスを用いて前記中継装置に前記受信対象分割画像の送信を要求して、前記中継装置から前記受信対象分割画像を受信する表示システム。
【請求項６】
複数のモニタ装置が並べられて形成された表示画面に画像を表示させる表示システムに含まれ、前記複数のモニタ装置のうちのいずれかのモニタ装置に接続されている、コンピュータが、
接続されているモニタ装置である接続モニタ装置が前記表示画面上で占める領域である接続モニタ領域を、前記表示画面に設定されている座標である画面座標を用いて特定する接続モニタ領域特定処理と、
前記表示画面に表示させる前記画像から分割された複数の分割画像の各々の前記表示画面での表示領域を前記画面座標を用いて定義する分割画像定義情報を受信する受信処理と、
前記分割画像定義情報で定義されている表示領域が前記接続モニタ領域と少なくとも一部において重複している分割画像である受信対象分割画像を前記複数の分割画像から抽出し、前記受信対象分割画像のうち前記接続モニタ領域と重複している範囲である再生対象範囲を抽出する抽出処理と、
前記受信対象分割画像を受信し、前記受信対象分割画像のうち前記再生対象範囲を再生し、前記再生対象範囲の再生結果を前記接続モニタ装置に出力する再生処理とを有し、
前記受信処理において、
前記コンピュータは、
分割画像ごとに、分割画像の取得に用いられるマルチキャストアドレスを定義する前記分割画像定義情報を受信し、
前記再生処理において、
前記コンピュータは、
前記分割画像定義情報で定義されている前記受信対象分割画像のマルチキャストアドレスを用いて送信元から前記受信対象分割画像を受信する画像受信再生方法。
【請求項７】
複数のモニタ装置が並べられて形成された表示画面に画像を表示させる表示システムに含まれ、前記複数のモニタ装置のうちのいずれかのモニタ装置に接続される画像受信再生装置と通信を行う、前記画像受信再生装置と接続されている中継装置に接続されているコンピュータが、
前記表示画面に表示される前記画像を複数の分割画像に分割する画像分割処理と、
各分割画像の前記表示画面での表示領域を、前記表示画面に設定されている座標である画面座標を用いて定義する分割画像定義情報を生成する定義情報生成処理と、
前記分割画像定義情報を前記画像受信再生装置に送信する送信処理とを有し、
前記画像受信再生装置は、
接続されているモニタ装置である接続モニタ装置が前記表示画面上で占める領域である接続モニタ領域を、前記画面座標を用いて特定しており、
前記コンピュータは、
前記分割画像定義情報を前記画像受信再生装置に送信することにより、
前記画像受信再生装置に、前記分割画像定義情報で定義されている表示領域が前記接続モニタ領域と少なくとも一部において重複している分割画像である受信対象分割画像を前記複数の分割画像から抽出させ、前記受信対象分割画像のうち前記接続モニタ領域と重複している範囲である再生対象範囲を抽出させ、前記受信対象分割画像を受信させ、前記受信対象分割画像のうち前記再生対象範囲を再生させ、前記再生対象範囲の再生結果を前記接続モニタ装置に出力させ、
前記定義情報生成処理において、
前記コンピュータは、
分割画像ごとに、前記画像受信再生装置が前記中継装置から分割画像を取得する際に用いるマルチキャストアドレスを定義する前記分割画像定義情報を生成し、
前記送信処理において、
前記コンピュータは、
前記分割画像定義情報を前記画像受信再生装置に送信した後に、各分割画像を対応するマルチキャストアドレスと関連付けて前記中継装置に送信する画像生成送信方法。
【請求項８】
複数のモニタ装置が並べられて形成された表示画面に画像を表示させる表示システムに含まれ、前記複数のモニタ装置のうちのいずれかのモニタ装置に接続されているコンピュータに、
接続されているモニタ装置である接続モニタ装置が前記表示画面上で占める領域である接続モニタ領域を、前記表示画面に設定されている座標である画面座標を用いて特定する領域特定処理と、
前記表示画面に表示させる前記画像から分割された複数の分割画像の各々の前記表示画面での表示領域を前記画面座標を用いて定義する分割画像定義情報を受信する受信処理と、
前記分割画像定義情報で定義されている表示領域が前記接続モニタ領域と少なくとも一部において重複している分割画像である受信対象分割画像を前記複数の分割画像から抽出し、前記受信対象分割画像のうち前記接続モニタ領域と重複している範囲である再生対象範囲を抽出する抽出処理と、
前記受信対象分割画像を受信し、前記受信対象分割画像のうち前記再生対象範囲を再生し、前記再生対象範囲の再生結果を前記接続モニタ装置に出力する再生処理とを実行させる画像受信再生プログラムであって、
前記受信処理において、
前記コンピュータに、
分割画像ごとに、分割画像の取得に用いられるマルチキャストアドレスを定義する前記分割画像定義情報を受信させ、
前記再生処理において、
前記コンピュータに、
前記分割画像定義情報で定義されている前記受信対象分割画像のマルチキャストアドレスを用いて送信元から前記受信対象分割画像を受信させる画像受信再生プログラム。
【請求項９】
複数のモニタ装置が並べられて形成された表示画面に画像を表示させる表示システムに含まれ、前記複数のモニタ装置のうちのいずれかのモニタ装置に接続される画像受信再生装置と通信を行う、前記画像受信再生装置と接続されている中継装置に接続されているコンピュータに、
前記表示画面に表示される前記画像を複数の分割画像に分割する画像分割処理と、
各分割画像の前記表示画面での表示領域を、前記表示画面に設定されている座標である画面座標を用いて定義する分割画像定義情報を生成する定義情報生成処理と、
前記分割画像定義情報を前記画像受信再生装置に送信する送信処理とを実行させる画像生成送信プログラムであって、
前記画像受信再生装置は、
接続されているモニタ装置である接続モニタ装置が前記表示画面上で占める領域である接続モニタ領域を、前記画面座標を用いて特定しており、
前記コンピュータは、
前記分割画像定義情報を前記画像受信再生装置に送信することにより、
前記画像受信再生装置に、前記分割画像定義情報で定義されている表示領域が前記接続モニタ領域と少なくとも一部において重複している分割画像である受信対象分割画像を前記複数の分割画像から抽出させ、前記受信対象分割画像のうち前記接続モニタ領域と重複している範囲である再生対象範囲を抽出させ、前記受信対象分割画像を受信させ、前記受信対象分割画像のうち前記再生対象範囲を再生させ、前記再生対象範囲の再生結果を前記接続モニタ装置に出力させ、
前記定義情報生成処理において、
前記コンピュータに、
分割画像ごとに、前記画像受信再生装置が前記中継装置から分割画像を取得する際に用いるマルチキャストアドレスを定義する前記分割画像定義情報を生成させ、
前記送信処理において、
前記コンピュータに、
前記分割画像定義情報が前記画像受信再生装置に送信された後に、各分割画像を対応するマルチキャストアドレスと関連付けて前記中継装置に送信させる画像生成送信プログラム。
【国際調査報告】
2017168582.tif 000021
2017168582.tif 000022